【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
ＲＦフィルタであって、
第１のポートと、
第２のポートと、
前記第１のポートと前記第２のポートとの間の信号経路と、
前記信号経路において電気的に直列に接続された複数の直列共振器と、
複数のシャント経路と、ここにおいて、各シャント経路が、前記信号経路を接地に電気的に接続する、
前記複数のシャント経路の各シャント経路において電気的に接続されたそれぞれの並列共振器と
を備え、ここにおいて、
前記複数の直列共振器のうちの少なくとも１つの直列共振器は、電気音響共振器であり、
前記複数のシャント経路のうちの少なくとも１つのシャント経路における前記並列共振器は、音響的にアクティブな共振器と離調コイルとの電気的接続を備え、前記音響的にアクティブな共振器は、前記複数のシャント経路のうちの別のシャント経路における別の並列共振器よりも高い共振周波数を有し、前記離調コイルは、前記少なくとも１つのシャント経路における前記並列共振器の共振周波数を、前記音響的にアクティブな共振器の前記より高い共振周波数よりも低くなるように同調させるインダクタンス値を有する、
ＲＦフィルタ。
【請求項２】
前記音響的にアクティブな共振器と前記離調コイルとは、電気的に直列に接続される、請求項１に記載のＲＦフィルタ。
【請求項３】
前記複数の直列共振器の全ての直列共振器が、電気音響共振器である、請求項１に記載のＲＦフィルタ。
【請求項４】
前記複数のシャント経路の各々におけるそれぞれの並列共振器または前記複数の直列共振器のいずれかのうちの少なくとも１つは、音響的にアクティブであり、キャパシタンスＣａｃｔｉｖｅを有し、前記キャパシタンスＣｉｎａｃｔｉｖｅの音響的に非アクティブなキャパシタの置換えであり、
前記キャパシタンスＣａｃｔｉｖｅは、０．５Ｃｉｎaｃｔｉｖｅ〜２．０Ｃｉｎａｃｔｉｖｅである、請求項１に記載のＲＦフィルタ。
【請求項５】
各電気音響共振器は、ＢＡＷ共振器またはＳＡＷ共振器である、請求項１に記載のＲＦフィルタ。
【請求項６】
前記少なくとも１つのシャント経路は、第１のシャント経路であり、前記ＲＦフィルタは、
前記複数のシャント経路のうちの第２のシャント経路における前記並列共振器、または
前記複数の直列共振器のうちの少なくとも１つの直列共振器
のうちの少なくとも１つを形成するＬＣ共振回路をさらに備える、請求項１に記載のＲＦフィルタ。
【請求項７】
前記ＲＦフィルタは、第１の通過帯域を提供する、請求項１に記載のＲＦフィルタ。
【請求項８】
前記第１の通過帯域は、３ＧＨｚ以上の中心周波数を有する、請求項７に記載のＲＦフィルタ。
【請求項９】
前記ＲＦフィルタは、中心周波数≧３ＧＨｚを有する第２の通過帯域を提供する、請求項７に記載のＲＦフィルタ。
【請求項１０】
バルク波が、通過帯域外の周波数範囲において挿入損失を増大させる、請求項１に記載のＲＦフィルタ。
【請求項１１】
ＲＦフィルタを形成する方法であって、
第１のポートと、第２のポートと、前記第１のポートと前記第２のポートとの間の信号経路とを設けるステップと、
前記信号経路を接地に電気的に接続するシャント経路を設けるステップと、
前記シャント経路において、並列電気音響共振器と離調コイルとを電気的に接続するステップと、
より高い共振周波数を有するように前記並列電気音響共振器を形成するステップと、
前記並列電気音響共振器と前記離調コイルとの前記電気的接続の共振周波数を、前記並列電気音響共振器の前記より高い共振周波数よりも低い周波数に同調させるステップと
を備える方法。
【請求項１２】
前記並列電気音響共振器のバルク波は、前記ＲＦフィルタの帯域外抑制を増大させるために使用される、請求項１１に記載の方法。
【請求項１３】
ＲＦフィルタであって、
第１のポートと、
第２のポートと、
前記第１のポートと前記第２のポートとの間の信号経路と、
前記信号経路において電気的に直列に接続された複数の直列共振器と、
複数のシャント経路と、ここにおいて、前記複数のシャント経路の各々が、前記信号経路を接地に電気的に接続する、
前記複数のシャント経路の各シャント経路において電気的に接続されたそれぞれの並列共振器と
を備え、ここにおいて、
前記複数の直列共振器のうちの少なくとも１つの直列共振器は、電気音響共振器であり、
前記複数のシャント経路のうちの少なくとも１つのシャント経路における前記並列共振器は、１つの音響的に非アクティブなキャパシタ、または音響的にアクティブな共振器と離調コイルとの電気的接続を備え、
前記音響的にアクティブな共振器のバルク波は、前記ＲＦフィルタの通過帯域外の周波数範囲において挿入損失を増大させる、
ＲＦフィルタ。
【請求項１４】
前記音響的にアクティブな共振器は、前記複数のシャント経路のうちの別のシャント経路における別の並列共振器よりも高い共振周波数を有し、前記離調コイルは、前記少なくとも１つのシャント経路における前記並列共振器の共振周波数を、前記音響的にアクティブな共振器の前記より高い共振周波数よりも低く同調させるインダクタンス値を有する、請求項１３に記載のＲＦフィルタ。
【請求項１５】
ＲＦフィルタであって、
第１のポートと、
第２のポートと、
前記第１のポートと前記第２のポートとの間の信号経路と、
前記信号経路において電気的に直列に接続された複数の直列共振器と、
複数のシャント経路と、ここにおいて、各シャント経路が、前記信号経路を接地に電気的に接続する、
前記複数のシャント経路の各シャント経路において電気的に接続されたそれぞれの並列共振器と
を備え、ここにおいて、
前記複数の直列共振器のうちの少なくとも１つの直列共振器は、電気音響共振器であり、
前記複数のシャント経路のうちの少なくとも１つのシャント経路における前記並列共振器は、音響的にアクティブな共振器と離調コイルとの電気的接続を備え、前記音響的にアクティブな共振器は、前記ＲＦフィルタの通過帯域外であるより高い共振周波数を有し、前記離調コイルは、前記少なくとも１つのシャント経路における前記並列共振器の共振周波数を、前記音響的にアクティブな共振器の前記より高い共振周波数よりも低くなるように同調させるインダクタンス値を有する、
ＲＦフィルタ。
【請求項１６】
前記音響的にアクティブな共振器のバルク波は、前記通過帯域外の周波数範囲において抑制を増大させる、請求項１５に記載のＲＦフィルタ。
【手続補正２】
【補正対象書類名】明細書
【補正対象項目名】００６６
【補正方法】変更
【補正の内容】
【００６６】
ＲＦフィルタも、ＲＦフィルタを設計するための方法も、提示された主題事項およびその技術的特徴によって限定されない。さらなるフィルタ素子を備えるＲＦフィルタおよびさらなる設計ステップを備えるＲＦフィルタを設計するための方法も含まれる。
以下に本願発明の当初の特許請求の範囲に記載された発明を付記する。
［実施例１］
ＲＦフィルタであって、
−第１のポートおよび第２のポートと、
−前記第１のポートと前記第２のポートとの間の信号経路と、
−前記信号経路において電気的に直列に接続された複数の２つ以上の直列共振器と、
−各々が前記信号経路を接地に電気的に接続する、複数の２つ以上のシャント経路と、
−各シャント経路において電気的に接続された１つの並列共振器と
を備え、ここにおいて、
−少なくとも１つの直列共振器は、電気音響共振器であり、
−少なくとも１つの並列共振器は、１つの音響的に非アクティブなキャパシタ、または音響的にアクティブな共振器と離調コイルとの電気的接続を備える、
ＲＦフィルタ。
［実施例２］
電気的に直列に接続された前記音響的にアクティブな共振器と前記離調コイルとを備える、先行する実施例に記載のＲＦフィルタ。
［実施例３］
全ての直列共振器が、電気音響共振器である、先行する実施例のうちの一項に記載のＲＦフィルタ。
［実施例４］
−同じシャント経路または前記信号経路におけるキャパシタンスＣｉｎａｃｔｉｖｅの音響的に非アクティブなキャパシタの代わりに、シャント経路または前記信号経路において、前記キャパシタンスＣａｃｔｉｖｅを有する音響的にアクティブな並列共振器
を備え、ここにおいて、
−前記音響的にアクティブな共振器の前記キャパシタンスＣａｃｔｉｖｅは、０．５Ｃｉｎa
ｃｔｉｖｅ〜２．０Ｃｉｎａｃｔｉｖｅである、先行する実施例のうちの一項に記載のＲＦフィルタ。
［実施例５］
各電気音響共振器は、ＢＡＷ共振器またはＳＡＷ共振器である、先行する実施例のうちの一項に記載のＲＦフィルタ。
［実施例６］
音響的に非アクティブである共振器は、ＬＣ共振回路を備える、先行する実施例のうちの一項に記載のＲＦフィルタ。
［実施例７］
第１の通過帯域を提供する、先行する実施例のうちの一項に記載のＲＦフィルタ。
［実施例８］
前記通過帯域は、中心周波数≧３ＧＨｚを有する、先行する実施例に記載のＲＦフィルタ。
［実施例９］
中心周波数≧３ＧＨｚを有する第２の通過帯域を提供する、２つの先行する実施例のうちの一項に記載のＲＦフィルタ。
［実施例１０］
−前記並列共振器は、前記音響的にアクティブな共振器と前記離調コイルとの前記電気的接続を備え、
−前記音響的にアクティブな共振器の前記共振周波数は、別のシャント経路の共振器の共振周波数よりも高い周波数に同調され、
−前記離調コイルは、前記音響的にアクティブな共振器と前記離調コイルとの前記電気的接続の前記共振周波数を、前記音響的にアクティブな共振器の前記共振周波数よりも低い周波数に同調させる、
先行する実施例のうちの一項に記載のＲＦフィルタ。
［実施例１１］
バルク波が、通過帯域外の周波数範囲において前記挿入損失を増大させる、先行する実施例のうちの一項に記載のＲＦフィルタ。
［実施例１２］
ＲＦフィルタを設計する方法であって、
−第１のポートと、第２のポートと、前記第１のポートと前記第２のポートとの間の信号経路とを設けるステップと、
−前記信号経路を接地に電気的に接続するシャント経路を設けるステップと、
−前記シャント経路において、並列電気音響共振器と離調コイルとを電気的に接続するステップと、
−前記電気音響共振器をより高い共振周波数に同調させるステップと、
−前記電気音響共振器と前記離調コイルとの前記電気的接続の共振周波数を、前記電気音響共振器の前記共振周波数よりも低い周波数に同調させるステップと
を備える方法。
［実施例１３］
前記電気音響共振器のバルク波は、前記ＲＦフィルタの帯域外抑制を増大させるために使用される、先行する実施例に記載の方法。